(57)【要約】  ホッパ（１０）と、ホッパ基部（１４）とを有しており、ホッパ（１０）がホッパ基部（１４）から取外し可能であり、ホッパシュー（３０）を有しており、ホッパシュー（３０）がホッパ（１０）に固定可能でありかつホッパ基部（１４）に固定可能であるホッパアセンブリが提供される。ホッパ（１０）と、第１のホッパ基部（１４）と、第２のホッパ基部（６０）とを有するホッパアセンブリも提供される。ホッパ（１０）は第１のホッパ基部（１４）から取外し可能でありかつ第２のホッパ基部（６０）へ移動可能である。丁合い装置も提供される。方法も提供される。
2010501443.tif 000002
【特許請求の範囲】
【請求項１】
ホッパアセンブリにおいて、
ホッパと、
ホッパ基部とが設けられており、前記ホッパがホッパ基部から取外し可能であり、
ホッパシューが設けられており、該ホッパシューが、ホッパに固定可能であり、ホッパ基部に固定可能であることを特徴とする、ホッパアセンブリ。
【請求項２】
ホッパシューをホッパ基部に固定するためのばね付勢されたクランプが設けられている、請求項１記載のホッパアセンブリ。
【請求項３】
ばね付勢されたクランプが、ばねと、面取りされた縁部と、クランプをホッパ基部に固定するためのボルトとを有する、請求項２記載のホッパアセンブリ。
【請求項４】
ホッパシューがホッパ基部から滑り落ちるのを防止するための安全装置が設けられている、請求項１記載のホッパアセンブリ。
【請求項５】
ホッパシューが、ホッパをホッパ基部から摺動させるための支持面を有している、請求項１記載のホッパ。
【請求項６】
ホッパアセンブリにおいて、
ホッパと、
第１のホッパ基部と、
第２のホッパ基部とが設けられており、
ホッパが、第１のホッパ基部から取外し可能でありかつ第２のホッパ基部へ移動可能であることを特徴とする、ホッパアセンブリ。
【請求項７】
ホッパを第２のホッパへ移動させる前に第２のホッパ基部を第１のホッパ基部に整合させるためのトグルクランプが設けられている、請求項６記載のホッパアセンブリ。
【請求項８】
ホッパがホッパ基部から滑り落ちるのを防止するための安全装置が設けられている、請求項６記載のホッパアセンブリ。
【請求項９】
第２のホッパ基部を移動させるためのパレットジャッキが設けられている、請求項６記載のホッパアセンブリ。
【請求項１０】
ホッパシューが設けられており、該ホッパシューが、ホッパに固定可能であり、第１のホッパ基部又は第２のホッパ基部に固定可能である、請求項６記載のホッパアセンブリ。
【請求項１１】
ホッパシューが第１のホッパ基部から第２のホッパ基部へ摺動する、請求項１０記載のホッパ。
【請求項１２】
ホッパシューを第１のホッパ基部又は第２のホッパ基部に固定するためのばね付勢されたクランプが設けられている、請求項１１記載のホッパアセンブリ。
【請求項１３】
前記ばね付勢されたクランプ、ばねと、面取りされた縁部と、クランプを第１のホッパ基部又は第２のホッパ基部に固定するためのボルトとを有する、請求項１２記載のホッパ。
【請求項１４】
第２のホッパ基部を第１のホッパ基部と整合させるための整合案内部材が設けられている、請求項６記載のホッパアセンブリ。
【請求項１５】
第１のホッパ基部のオペレータ側にレールが設けられている、請求項６記載のホッパアセンブリ。
【請求項１６】
前記レールが整合ピンを有する、請求項１５記載のホッパアセンブリ。
【請求項１７】
第２のホッパ基部が、該第２のホッパ基部をレールに固定するためのラッチを有する、請求項６記載のホッパアセンブリ。
【請求項１８】
丁合い装置において、
ホッパ基部に取り付けられた複数のホッパが設けられており、
ホッパシューを有する少なくとも１つのホッパが設けられており、前記ホッパシューが、ホッパに固定可能でありかつホッパ基部に固定可能であり、
複数のホッパからシート材料を収集する丁合いコンベヤが設けられており、
少なくとも１つのホッパがホッパ基部から取外し可能であることを特徴とする、丁合い装置。
【請求項１９】
前記丁合い装置が中とじ機である、請求項１８記載の丁合い装置。
【請求項２０】
ホッパを移動させる方法において、
ホッパを第１のホッパ基部に結合するクランプを緩めるステップと、
ホッパを第１のホッパ基部から第２のホッパ基部へ摺動させるステップと、
ホッパを第２のホッパ基部に固定するステップと、
第２のホッパ基部を移動させるステップとを含むことを特徴とする、ホッパを移動させる方法。
【請求項２１】
ホッパを第１のホッパ基部から第２のホッパ基部へ摺動させるステップの前に第２のホッパ基部を第１のホッパ基部に整合させるステップを有する、請求項２０記載の方法。
【請求項２２】
ホッパを第１のホッパ基部から第２のホッパ基部へ摺動させるステップの前に安全装置を解除するステップを含む、請求項２０記載の方法。
【請求項２３】
第２のホッパ基部を移動させるステップが、パレットジャッキを使用して第２のホッパ基部を持ち上げることを含む、請求項２０記載の方法。
【発明の詳細な説明】
【技術分野】
【０００１】
本願は、２００６年８月１８日に出願されかつ引用により本明細書に記載されたものとする米国特許仮出願第６０／８３８７８４号明細書の利益を請求する。
【０００２】
背景
本発明は、印刷機、特にホッパに関する。
【０００３】
無線とじ機、中とじ機及びメールインサータ等の丁合い装置は、シート材料を収集するためにホッパ又はフィーダを使用する。中とじ機又は無線とじ機は、例えば、ホッパ又はフィーダから中とじ機又は無線とじ機コンベヤに供給された、折り畳まれた被印刷材料を個々に収集し、雑誌又はその他の被印刷製品を形成する。本願の文脈において、ホッパ及びフィーダという用語は同義語として使用されている。
【０００４】
米国特許第４１９６８３５号明細書は、折丁のグループが移動している間にこの折丁のグループを綴じる綴じアセンブリを有する丁合い機を開示している。鞍型コンベヤは丁合いステーションを通過し、個々の折丁が丁合いステーションからコンベヤに供給され、丁合された折丁のグループを形成する。コンベヤは、丁合された折丁のグループを綴じアセンブリを通って運搬し、綴じアセンブリは、各グループごとに折丁を綴じる。
【０００５】
引用により本明細書に記載されたものとする米国特許第６０８２７２４号明細書は、シート材料をコンベヤ上の受け取り位置に送出する複数のホッパ又はフィーダを有するインサータ等の折丁丁合い装置を開示している。
【０００６】
米国特許出願公開第２００６／０１０３０６４号明細書は、モジュラー折丁フィーダを開示しており、このモジュラー折丁フィーダは、モジュラー折丁フィーダが別のモジュラー折丁フィーダ又は折丁丁合いフィーダアセンブリに関連した折丁引渡しアセンブリに取外し可能に取り付けられることを可能にするように構成された基部を有するフレームを有する。
【０００７】
発明の概要
本発明の実施形態によれば、ホッパアセンブリは、ホッパ及びホッパ基部を有している。ホッパはホッパ基部から取外し可能である。ホッパシューが設けられている。ホッパシューは、ホッパに固定可能であり、ホッパ基部に固定可能である。
【０００８】
本発明の別の実施形態によれば、ホッパアセンブリは、ホッパと、第１のホッパ基部と、第２のホッパ基部とを有している。ホッパは、第１のホッパ基部から取外し可能であり、第２のホッパ基部へ移動可能である。
【０００９】
本発明の別の実施形態によれば、丁合い装置は、ホッパ基部に取り付けられた複数のホッパを有している。少なくとも１つのホッパはホッパシューを有しており、ホッパシューは、ホッパに固定可能であり、ホッパ基部に固定可能である。丁合いコンベヤが設けられており、複数のホッパからシート材料を収集する。少なくとも１つのホッパはホッパ基部から取外し可能である。
【００１０】
本発明の実施形態によれば、ホッパを移動させる方法は、ホッパを第１のホッパ基部に結合するクランプを緩め、ホッパを第１のホッパ基部から第２のホッパ基部へ摺動させ、ホッパを第２のホッパ基部に固定し、第２のホッパ基部を移動させることを含む。
【００１１】
本発明の好適な実施形態は図面を参照に説明される。
【図面の簡単な説明】
【００１２】
【図１】本発明による、ホッパと、可動な基部と、パレットとを示している。
【図２】図１に示されたホッパ及び可動な基部の詳細図である。
【図３】図１に示されたホッパ及び可動な基部の詳細図である。
【図４】可動な基部に取り付けられたホッパを示す図である。
【００１３】
好適な実施形態の詳細な説明
丁合い装置を再構成するためにホッパを移動させることは、全体的な生産性を著しく減じる時間の掛かる作業である。通常、ホッパが取り外されるか又は、クレーン、フォークリフト又は択一的な持上げ装置を用いてホッパをホッパ基部から持ち上げて降ろすことによって交換され、完了するのに４５分かかることがある。それぞれの印刷ジョブの要求に応じて、ホッパは頻繁に再構成される必要がある場合がある。さらに、特殊ホッパ、例えば、カードフィーダは、幾つかの印刷ジョブのために必要であるが、他の印刷ジョブのために取り外される。
【００１４】
図１は、ホッパ移動アセンブリ１００と、可動な基部６０と、パレットジャッキ５０とを示している。ホッパ１０はホッパシュー３０を介してホッパ基部１４に取り付けられている。可動な基部６０は、ホッパ１０の取り外しを容易にするためにホッパ基部１４に結合されている。ホッパ１０はホッパ側壁１２を有している。ホッパシュー３０はホッパ側壁１２に固定されている。
【００１５】
図２は、ホッパシュー３０が装着されたホッパ１０を示している。ホッパシュー３０は、ばね付勢されたクランプ４０によってホッパ基部１４に締め付けられている。各ばね付勢されたクランプ４０は、ばね４２と、ボルト４４と、面取りされた縁部４６とを有している。ばね付勢されたクランプ４０は、案内部材５２に着座しており、ボルト４４によってブラケット２２にボルト結合されている。ブラケット２２はホッパ基部１４に取り付けられている。
【００１６】
ホッパ１０をホッパ基部１４から可動な基部６０に移動させるために、クランプ４０におけるボルト４４は緩められる。次いで、ホッパ１０は可動な基部６０上へ摺動される。ホッパ１０が可動な基部６０上に位置すると、１つ又は２つ以上のボルト４４が締め付けられ、ホッパ１０を可動な基部６０に固定する。次いで、ホッパ１０及び可動な基部６０を移動させるためにパレットジャッキ５０が使用されることができる。
【００１７】
基部６０が適切に位置決めされていない場合にホッパ１０が誤って可動な基部６０から滑り落ちるのを防ぐために、安全装置７０が使用されることができる。安全装置７０は、トグルクランプ７２と、安全ストップレバー７４とを有している。安全ストップレバー７４は、ホッパシュー３０が誤って後方へ摺動するのを防止する突出部７６と、フック部７８とを有している。安全ストップレバー７４は安全位置へばね付勢されており、この場合、突出部７６が、ホッパシュー３０がホッパ基部１４から滑り落ちるのを防止している。トグルクランプ７２はＵ字形のブラケット７３を有している。トグルクランプ７２が作動させられると、Ｕ字形のブラケット７３がフック７８に係合し、突出部７６がブラケット２２におけるスリット８２に引き込まれる。つまり、図３に示されているように可動な基部６０がホッパ基部１４と緊密に係合するように引っ張られる。その後、図４に示されているようにホッパシュー３０は可動な基部６０上に摺動させられることができる。
【００１８】
図２及び図３は、可動な基部６０とホッパ基部１４との間の適切な水平方向及び垂直方向の整合を保証するために使用される整合案内部材６２及びパイロット６４を示している。
【００１９】
図４は、可動な基部６０に取り付けられかつ丁合コンベヤ上に位置決めされたホッパ１０を示している。この実施例において、丁合コンベヤは丁合チェーン１１０である。ホッパ１０は、典型的なフィーダ側位置からオペレータ側へ移動させられており、例えばホッパ１０は、逆ラップ折丁を、より困難なく供給することができる。ホッパ基部１４のオペレータ側にはレール１２０が取り付けられている。可動な基部６０におけるクランプ１３０はレール１２０にラッチ式に噛み合っている。可動な基部６０をレール１２及びクランプ１３０を介してホッパ基部１４に固定することによって、ホッパ１０の振動が減じられる。丁合チェーン１１０上での可動な基部６０の適切な配置を助成するために、レール１２０には整合ピン１２２が取り付けられている。
【００２０】
ここで定義されるホッパは、特殊フィーダ、例えばカードフィーダを含むことができる。ホッパは、無線とじ機、中とじ機及びメールインサータ等の丁合装置において使用されることができる。
【００２１】
前記明細書において、本発明は、特定の典型的な実施形態及び実施例を引用して説明された。しかしながら、請求の範囲に示された発明のより広い精神及び範囲から逸脱することなく実施形態及び実施例に様々な変更がなされる場合があることは明らかである。したがって、明細書及び図面は、制限的な意味ではなく例示的な形式で見なされるべきである。
【符号の説明】
【００２２】
１０  ホッパ、  １４  ホッパ基部、  ２２  ブラケット、  ３０  ホッパシュー、  ４０  クランプ、  ４２  ばね、  ４４  ボルト、  ４６  面取りされた縁部、  ５０  パレットジャッキ、  ５２  案内部材、  ６０  可動な基部、  ６２  整合案内部材、  ６４  パイロット、  ７０  安全装置、  ７２  トグルクランプ、  ７３  ブラケット、  ７４  安全ストップレバー、  ７６  突出部、  ７８  フック部、  ８２  スリット、  １００  ホッパ移動アセンブリ、  １１０  丁合チェーン、  １２０  レール、  １２２  整合ピン、  １３０  クランプ
【図１】
2010501443.tif 000003
【図２】
2010501443.tif 000004
【図３】
2010501443.tif 000005
【図４】
2010501443.tif 000006
【国際調査報告】
2010501443.tif 000007
2010501443.tif 000008